(57)【要約】【課題】  外出先にて視聴した番組を、例えば帰宅後に改めて視聴するといった要望を簡易かつ安価に実現する。【解決手段】  テレビジョン放送受信手段及びテレビジョン放送視聴手段を備えるとともに公衆回線網と接続された形態通信端末から、公衆回線網を介して録画再生装置に対しテレビジョン放送の番組視聴状態を示す番組視聴情報を送信し、録画再生装置が通信端末から送信された番組視聴情報を受信し、受信した番組視聴情報に応じてテレビジョン放送番組の録画処理を制御するようにしたことを特徴とする。好ましくは録画再生装置は時計を備え、公衆回線網を介して受信する電子番組ガイドから番組視聴情報によって録画を指示された番組の放送終了時刻を取得し、時計が番組の放送終了時刻を指示するにともない録画を終了することが好適である。【選択図】        図５
2005260856.tif 000002
【特許請求の範囲】
【請求項１】
テレビジョン放送受信手段及びテレビジョン放送視聴手段を備えるとともに公衆回線網と接続され、前記公衆回線網を介してテレビジョン放送の番組視聴状態を示す番組視聴情報を送信する通信端末と、
該通信端末から送信された前記番組視聴情報を受信する受信手段と、該受信手段により受信した前記番組視聴情報に応じてテレビジョン放送番組の録画処理を制御する制御手段と、を備える録画再生装置から構成される
ことを特徴とする番組録画システム。
【請求項２】
前記録画再生装置は時計を備え、前記制御手段は、受信した電子番組ガイドから前記番組視聴情報によって録画を指示された番組の放送終了時刻を取得し、前記時計が前記放送終了時刻を指示するにともない録画を終了する
ことを特徴とする請求項１に記載の番組録画システム。
【請求項３】
前記録画再生装置の制御手段は、前記電子番組ガイドに基づき、前記番組視聴情報によって録画指示された番組と同一タイトルかつ高画質放送の番組が他のチャンネルで放送されていると判断した場合、前記他のチャンネルにおける前記同一タイトルの番組を録画する
ことを特徴とする請求項２に記載の番組録画システム。
【請求項４】
前記録画再生装置の制御手段は、前記電子番組ガイドに基づき、前記番組視聴情報によって録画指示された番組と同一タイトルの番組の放送開始予定が録画指示された時刻以降に存在すると判断した場合、前記同一タイトルの番組の録画予約を行う
ことを特徴とする請求項２に記載の番組録画システム。
【請求項５】
前記録画再生装置の制御手段は、前記番組視聴情報によって録画指示された番組を録画中に前記通信端末から番組視聴中止の通知を受けた場合、通知を受けた時刻を頭出し情報として記録する
ことを特徴とする請求項１に記載の番組録画システム。
【請求項６】
前記録画再生装置の制御手段は、前記通信端末から番組の視聴が中止された時刻を含む前記番組視聴情報を受信した場合、前記番組の視聴が中止された時点から録画を開始する
ことを特徴とする請求項１に記載の番組録画システム。
【請求項７】
テレビジョン放送受信手段と、
前記受信手段で受信した放送番組を視聴する視聴手段と、
公衆回線網と接続して通信を行う通信手段と、
前記受信手段で受信して前記視聴手段で視聴したテレビジョン放送番組の視聴状態を示す番組視聴情報を、前記通信手段から前記公衆回路網を介して所定の録画再生装置に対して送信させる制御手段とを備えた
ことを特徴とする通信端末。
【請求項８】
前記番組視聴情報は、少なくとも前記テレビジョン放送のチャンネル情報と、番組視聴中又は番組視聴中止の情報を含む
ことを特徴とする請求項７に記載の通信端末。
【請求項９】
テレビジョン放送受信手段を備えるとともに公衆回線網と接続された通信端末から送信される前記テレビジョン放送の番組視聴状態を示す番組視聴情報を受信する受信手段と、該受信手段により受信した前記番組視聴情報に応じてテレビジョン放送番組の録画処理を制御する制御手段とを備える
ことを特徴とする録画再生装置。
【請求項１０】
前記録画再生装置は時計を備え、前記制御手段は、受信した電子番組ガイドから前記番組視聴情報によって録画を指示された番組の放送終了時刻を取得し、前記時計が前記放送終了時刻を指示するにともない録画を終了する
ことを特徴とする請求項９に記載の録画再生装置。
【請求項１１】
前記制御手段は、前記電子番組ガイドに基づき前記番組視聴情報によって録画指示された番組と同一タイトルかつ高画質放送の番組が他のチャンネルで放送されていると判断した場合、前記他のチャンネルにおける前記同一タイトルの番組を録画する
ことを特徴とする請求項１０に記載の録画再生装置。
【請求項１２】
前記制御手段は、前記電子番組ガイドに基づき、前記番組視聴情報によって録画指示された番組と同一タイトルの番組の放送開始予定が録画指示された時刻以降に存在すると判断した場合、前記同一タイトルの番組の録画予約を行う
ことを特徴とする請求項は１０に記載の録画再生装置。
【請求項１３】
前記制御手段は、前記番組視聴情報によって録画指示された番組を録画中に前記通信端末から番組視聴中止の通知を受けた場合、通知を受けた時刻を頭出し情報として記録する
ことを特徴とする請求項９に記載の録画再生装置。
【請求項１４】
前記制御手段は、前記通信端末から番組の視聴が中止された時刻を含む前記番組視聴情報を受信した場合、前記番組の視聴が中止された時点から録画を開始する
ことを特徴とする請求項９に記載の録画再生装置。
【発明の詳細な説明】
【技術分野】
【０００１】
本発明は、例えば、テレビジョン放送（以下、単にテレビとも称する。）等の番組を受信できる機能を備えた携帯電話端末などの通信端末を用いて、自宅の録画再生装置に対し外出先等の遠隔地から所望の番組の録画を指示するのに好適な番組録画システム、これに使用する通信端末及び録画再生装置に関する。
【背景技術】
【０００２】
近年、地上波アナログテレビジョン放送を受信できる携帯可能なテレビジョン放送受信機（以下、テレビ受信機という。）と一体となった携帯電話端末等の通信端末が実用化され、さらにはモバイル放送や地上波デジタルテレビジョン放送の開始に伴って、いつでも、どこでも、テレビ番組を視聴できるライフスタイルが一般化していく傾向にある。
【０００３】
一方、予め録画したいテレビ番組がわかっている場合、遠隔地にいる利用者が、携帯電話端末を使用して１つ又は複数の番組識別データを自宅の録画装置に送信することにより、自動的に、１つ又は複数の番組の録画予約をしておくことができるようにした番組録画装置が提案されている（例えば、特許文献１参照。）。この番組録画装置によれば、遠隔地からテレビ番組の録画予約を行うことができるので大変便利である。
【特許文献１】特開２００１−２８５７６８号公報
【発明の開示】
【発明が解決しようとする課題】
【０００４】
しかしながら、特許文献１に記載の技術は予め録画しておきたいと思う番組を録画予約するものであるため、上述のテレビ受信機能付き携帯電話端末で現在視聴している番組を録画したい場合、特許文献１に記載の技術では対応することができない。また、上述のテレビ受信可能な携帯電話端末に別途録画装置を接続するなり、大容量のメモリデバイスを用意するなり、あるいは録画装置とメモリデバイスを同時に携帯するなどにより対応可能であるが、録画装置をその都度接続したり、常に録画装置及びメモリデバイスを携帯することは大変面倒であり、かつコストがかかるものであった。
【０００５】
したがって、テレビ受信機能付き携帯電話端末で視聴した番組を帰宅後に改めて視聴したいという利用者の要望を、簡易にかつ安価な手段で満足させることはできていなかった。また、途中までしか視聴できなかった番組を、自宅で初めから又はその続きから視聴したいといった要望に応えるものはなかった。
【０００６】
斯かる点に鑑み、本発明は、外出先にて視聴した番組を、例えば帰宅後に改めて視聴するといった要望を簡易かつ安価に実現させることを目的とする。
【課題を解決するための手段】
【０００７】
上記課題を解決し、目的を達成するため、本発明の番組録画システムは、テレビジョン放送受信手段及びテレビジョン放送視聴手段を備えるとともに公衆回線網と接続され、公衆回線網を介してテレビジョン放送の番組視聴状態を示す番組視聴情報を送信する通信端末と、この通信端末から送信された番組視聴情報を受信する受信手段と、この受信手段により受信した番組視聴情報に応じてテレビジョン放送番組の録画処理を制御する制御手段と、を備える録画再生装置から構成されることを特徴とする。
【０００８】
斯かる本発明によれば、通信端末から送信された現在利用者が視聴している番組に関する番組視聴情報を録画再生装置にて受信し、この録画再生装置において受信した番組視聴情報によって録画を指示された番組の録画処理を制御するようにしたので、利用者の視聴操作に応じて即時処理でかつ自動的に番組の録画指示を行うことができる。
【０００９】
また本発明において上述の録画再生装置は時計を備え、上記制御手段は、受信した電子番組ガイドから番組視聴情報によって録画を指示された番組の放送終了時刻を取得し、時計が放送終了時刻を指示するにともない録画を終了することを特徴とする。
【００１０】
斯かる本発明によれば、番組視聴情報によって録画を指示された番組の放送終了時刻を電子番組ガイドから取得し、時計が放送終了時刻を指示するにともない録画を終了するようにしたので、対象となる番組の放送終了まで確実に録画できるとともに自動的に録画処理を停止させることができる。
【００１１】
また本発明において上述の録画再生装置の制御手段は、電子番組ガイドに基づき番組視聴情報によって録画指示された番組と同一タイトルかつ高画質放送の番組が他のチャンネルで放送されていると判断した場合、他のチャンネルにおける同一タイトルの番組を録画することを特徴とする。
【００１２】
斯かる本発明によれば、電子番組ガイドに基づき番組視聴情報によって録画指示された番組と同一タイトルかつより高画質放送の番組が他のチャンネルで放送されている場合に、他チャンネルの同一タイトル番組を録画することにより、利用者は帰宅後に録画した番組を外出先で視聴していたものより高品質画像で視聴することができる。
【００１３】
また本発明において上述の録画再生装置の制御手段は、電子番組ガイドに基づき、番組視聴情報によって録画指示された番組と同一タイトルの番組の放送開始予定が録画指示された時刻以降に存在すると判断した場合、その同一タイトルの番組の録画予約を行うことを特徴とする。
【００１４】
斯かる本発明によれば、番組視聴情報によって録画指示された番組と同一タイトルの番組の放送予定が、録画指示された時刻以降にも電子番組ガイド上に存在する場合、その同一タイトルの番組の録画予約を行うことにより、録画対象の番組を放送開始時刻から録画することができるので、利用者は外出先で途中から視聴していた番組を帰宅後に番組の最初から視聴することができる。
【００１５】
また本発明において上述録画再生装置の制御手段は、番組視聴情報によって録画指示された番組を録画中に上記通信端末から番組視聴中止の通知を受けた場合、通知を受けた時刻を頭出し情報として記録することを特徴とする。
【００１６】
斯かる本発明によれば、番組を録画中に、通信端末から番組視聴中止の通知を受けた場合、通知を受けた時刻を頭出し情報として記録するようにしたので、利用者は帰宅後に録画した番組の頭出し操作を行うことにより、外出先で番組を視聴し始めた時点から再度視聴することができる。
【００１７】
また本発明において上述録画再生装置の制御手段は、通信端末から番組の視聴が中止された時刻を含む番組視聴情報を受信した場合、番組の視聴が中止された時点から録画を開始することを特徴とする。
【００１８】
斯かる本発明によれば、通信端末から番組の視聴が中止された時刻を含む番組視聴情報を受信した場合、番組の視聴が中止された時点から録画を開始するようにしたので、外出先で視聴済みの時間帯を除く番組録画が可能となり、録画データの記録領域を節約できる。
【発明の効果】
【００１９】
本発明によれば、テレビ受信機能付き通信端末から現在利用者が視聴している番組に関する番組視聴情報を送信し、録画再生装置にてこの番組視聴情報を受信し、受信した番組視聴情報によって録画を指示された番組の録画処理を制御するようにしたので、利用者の視聴操作に応じて即時処理でかつ自動的に番組の録画指示を行うことができる。したがって、外出先にて通信端末で視聴した番組を、例えば帰宅後に最初から視聴したり、あるいは視聴を中止した時点からの続きを視聴するといった利用者の要望を既存の設備を利用して簡易かつ安価に実現させることができるという効果がある。
【発明を実施するための最良の形態】
【００２０】
以下、図１〜図７を参照して、本発明の一実施の形態の例について説明する。
【００２１】
図１は、本発明の番組録画システムの一実施の形態の例の概要を示すブロック図である。図１において、１はテレビジョン放送（以下、テレビともいう。）を受信する受信機と一体構成とされた通信端末の一例としての携帯電話端末である。また、２は携帯電話端末の基地局を示す。この携帯電話基地局２は、通常、携帯電話網(図示せず)に接続されて、他の携帯電話端末もしくは固定電話(図示せず)と音声通話ができる様になっているが、この点に関して、ここでは詳細な説明を省略する。
【００２２】
一方、パケットデータ通信に対しては、携帯電話基地局２は、インターネット３等の公衆パケットデータ網（公衆回線網）に接続されており、他の携帯電話端末、もしくはＷｅｂ（World Wide Web）上のサーバ等（図示せず)とパケットデータのやり取りができる。また同様に、予め、ＩＰ（Internet Protocol）アドレスを携帯電話端末に登録しておいた、家庭内にある録画再生装置４と、インターネットを介してパケットデータのやり取りができる様になっている。この録画再生装置４は、テレビジョン放送を受信可能なアンテナ、あるいはケーブルテレビ網等(図示せず)に接続され、テレビ番組が録画できるようになっており、その録画された番組を、利用者は録画再生装置４に接続されたテレビモニタ装置５により、いつでも視聴できる状態にある。
【００２３】
図２は、図１に示した携帯電話端末２の一例の概略構成を示す図である。図２において、１１は音声データやパケットデータ等の通信を行う携帯電話送受信部、１２はテレビジョン放送信号を受信するテレビ受信部、１３は図示しないＲＡＭ（Random Access Memory）をワークエリアとして使用して、不揮発性メモリのＲＯＭ（Read Only Memory）等に記録されたプログラムに従い所定の処理を行うプロセッサなどからなる制御手段であり、携帯電話端末１全体の制御を行っている。
【００２４】
また、１４は例えば液晶表示装置からなる表示部、１５は音声データを外部に放音するスピーカ及び外部からの音声データを収音するマイクロホン（以下、マイクという。）を示す。図２において、スピーカ／マイク１５のスピーカは、テレビ番組視聴時にも用いられたり、あるいは、図示されてはいないが、イヤホンスピーカ用出力端子等を装備し、このイヤホンスピーカ用出力端子に接続したイヤホンマイクを、直接、利用者の耳に装着するようにしてもよい。さらに、１６は利用者からの操作指示を電気信号に変換して制御部１３に入力するマンマシーンインターフェイス（以下、ＭＭＩという。）、１７は時刻情報を持つ時計部であり、制御部１３にて各種動作を決定する一要素情報として使用される。
【００２５】
図２の携帯電話端末１は、ＭＭＩ１６を介して利用者からの操作指示が制御部１３に入力され、制御部１３は操作指示に応じて、音声データ通信や、パケットデータ通信などのサービスを利用者に提供する。また、携帯電話端末１は、テレビ番組を受信可能な場所で、制御部１３の制御下でテレビ番組の内容を表示部１４に表示することが可能である。このとき、利用者はＭＭＩ１６及び表示部１４により、所望のテレビチャンネルを選択できるものとする。
【００２６】
図３は、図１に示した録画再生装置４の一例の概略構成を示す図である。図３において、４１はインターネット等の公衆回線網と接続され、外部とパケットデータ等の送受信を行うネットワーク送受信部、４２はテレビジョン放送信号を受信するテレビ受信部、４３は図示しないＲＡＭ（Random Access Memory）をワークエリアとして使用して、不揮発性メモリのＲＯＭ（Read Only Memory）等に記録されたプログラムに従い所定の処理を行うプロセッサなどからなる制御手段であり、録画再生装置４全体の制御を行っている。
【００２７】
また、４４は接続され、制御部４３から送出されるテレビ画像や音声データ等を録画再生装置４と接続されたテレビモニタ装置（図１参照）５に出力するテレビ画像音声出力部であり、４５はテレビ受信部４２で受信したテレビ番組の録画処理を行う録画再生部である。この録画再生部４５は、例えばビデオテープ装置や、記録可能なＤＶＤ（Digital Versatile Disk）ドライブ部、あるいはハードディスクドライブ部など種々のものが適用可能である。また録画再生部４５に記録されたテレビ番組は、制御部４３の制御下で再生されてテレビ画像音声出力部４４を介して、テレビモニタ装置５に供給され、タイムシフトして視聴することができる。
【００２８】
通常、図示しないリモートコマンダ（以下、リモコンと称する。）を介した利用者の操作コマンドが、例えばＩｒＤＡ（Infrared Data Association）等の規格に従い送信されてリモコン受信部４６に受信されることにより、上述の録画動作及び再生動作の指示が行われる。４７は時刻情報を持つ時計部であり、制御部４３は、録画動作や録画予約動作に関して時計部４７から得られる時刻情報と録画予約された時刻情報を基に、録画終了指示や録画予約等の制御を行う。
【００２９】
また録画再生装置４は、インターネット等の公衆回線網を介して、遠隔地から携帯電話端末１などを使用しての操作が可能となっている。さらに、特定の電子番組ガイド(EPG:Electronic Program Guide)の情報を、ネットワークを経由してあるいはテレビジョン放送波などから取得することが可能となっており、利用者が携帯電話端末１から録画を指示した番組の放送終了時刻を、これらの電子番組ガイド（以下、ＥＰＧデータという。）から得、時計部４７からの時刻情報を基に放送終了時刻に到達したと判断されることで、番組録画動作を自動的に終了することができる。
【００３０】
次に、図１〜図３に示した本実施の形態における動作について説明する。
【００３１】
図４は、携帯電話端末の動作を示すフローチャートである。今、利用者が携帯電話端末１を操作してテレビ番組の視聴操作を開始(ステップＳ１０１)し、まず、テレビ番組視聴を開始する（ステップＳ１０２）。携帯電話端末１の制御部１３は、利用者が視聴する番組が確定したかどうかを判断し（ステップＳ１０３）、確定していないようであればステップＳ１０２の処理に戻る。
【００３２】
判断ステップＳ１０３の処理において、携帯電話端末１の制御部１３は利用者の視聴番組が確定したと判断した場合、視聴中の番組の録画を指示するかどうか判断した後、録画再生装置４に対して録画指示コマンドを発行する。例えば、携帯電話端末１に設けられた時計部１７の時刻情報を基に、一定時間例えば１分間、同一番組を視聴された後に自動的に録画指示を出したり、あるいは視聴開始時に表示部１４に質問コメントを表示し、利用者に現在視聴中の番組を録画するか判断を仰いで、利用者の回答により録画指示を出すようにしてもよい。
【００３３】
そして、携帯電話端末１は、インターネット３に接続され相互通信が可能な録画再生装置４に対して、録画指示コマンドと視聴中の番組のチャンネル情報を含んだパケットデータを番組視聴情報として携帯電話送受信部１１から送出することにより、外出先から遠隔操作によって携帯電話端末１で視聴中のテレビ番組の即時処理の録画指示を出すことができる(ステップＳ１０４)。
【００３４】
その後、携帯電話端末１の視聴状態を監視して番組の視聴が中止されたかどうかを判断する（ステップＳ１０５）。何らかの理由で、利用者が番組を最後まで視聴できない場合、例えば、利用者が携帯電話端末１での視聴行為それ自体を止めるとき、または視聴していた番組から別の番組へと変更するようなときなどは、録画再生装置４へコマンドを発行して視聴中止を通知(状態１０７)し、視聴処理を終了する（ステップＳ１０８）。
【００３５】
上述判断ステップＳ１０５において、番組の視聴が中止されなかった場合、番組の最後まで視聴が行われたかどうかを判断し（ステップＳ１０６）、最後まで番組が視聴された場合は、ステップＳ１０８に移行し、一連の処理を終了する。また、未だ最後まで番組の視聴が行われていない場合は、判断ステップＳ１０５の処理に戻り、番組の途中で視聴が中止されていないか監視を続ける。
【００３６】
次に、図４を用いて、録画再生装置４の録画処理動作について説明する。まず、録画再生装置４において録画処理動作を開始する（ステップＳ２０１）。まず、携帯電話端末１からの番組視聴情報をネットワーク受信部４１より受信したかどうか、すなわち携帯電話端末１からテレビ番組の録画指示があったかどうかを監視（ステップＳ２０２）し、録画指示があった場合には、番組視聴情報内の録画指示データを受信する（ステップＳ２０３）。
【００３７】
そして録画再生装置４は、番組視聴情報を受信後、指示されたチャンネル情報を基に、ネットワークを介して受信したＥＰＧデータより、録画指示された番組内容及び放送終了時刻情報を取得する(ステップＳ２０４)。放送終了時刻を取得し、時計部４７の時刻情報がこの放送終了時刻を指示したときに録画動作を終了させることにより、番組放送終了時刻まで録画できるとともに自動的に録画を終了させることができる。
【００３８】
このとき、録画指示されたチャンネルにおける同一内容の番組が、ハイビジョン放送などのより高画質放送で同時間帯に放送されているかどうかをＥＰＧデータを基に判断し（ステップＳ２０５）、同時間帯に高画質放送がある場合であって、録画再生装置４が高画質放送受信可能であれば、携帯電話端末１から指示されたチャンネルではなく、高画質放送が行なわれているチャンネルを設定し、より高品質なテレビ画像の録画動作を開始する（ステップＳ２０６）。
【００３９】
また、例えば平日にあるテレビ番組の録画指示を行ったが、週末にその番組の再放送が行われる場合など、携帯電話端末１から指示されたチャンネルにおけるものと同一内容の番組が、近い将来に放送予定であるかどうかをＥＰＧデータを基に判断し（ステップＳ２０７）、近い将来に放送予定がある場合、録画再生部４５に該当チャンネルを設定して番組の録画を予約をする(ステップＳ２０８)。また、近い将来に放送予定がない場合、携帯電話端末１から指示されたチャンネルの番組を録画再生部４５に設定し、録画を開始する（ステップＳ２０９）。なお、ステップＳ２０８の処理において、後日、指示された番組と同一内容の高画質放送が予定されている場合、そちらを録画するとよい。
【００４０】
そして、ステップＳ２０６、ステップＳ２０８、ステップＳ２０９のそれぞれの処理において、ＥＰＧデータより取得した該当放送番組の終了時刻データと、録画再生装置４に具備された時計部４７による時刻データと比較することにより、それぞれの放送番組が録画終了時刻に到達したか否かを判定する(ステップＳ２１０)。録画終了時刻に到達した場合は、録画動作を終了し（ステップＳ２１１）、そして利用者から指示があれば、録画番組の再生可能状態となる（ステップＳ２１２）。
【００４１】
このように、録画再生装置４はＥＰＧデータを基にその指示された番組の開始時刻からの録画予約を行うことができる。また、予約動作を完了（ステップＳ２０８参照）するだけで録画設定を終了してもよいし、続けて、携帯電話端末１からの指示に基づいて、指示されたチャンネルの番組について即座に録画動作を開始（ステップＳ２０９参照）してもよい。
【００４２】
図６は、録画再生装置４が携帯電話端末１から視聴中止通知を受けた場合の処理を示すフローチャートである。録画再生装置４の制御部４３が携帯電話端末１から視聴中止通知を受信しフローチャートを開始する（ステップＳＳ３０１）。携帯電話端末１から番組途中での視聴中止通知を受けると、そのときの時刻情報を時計部４７より取得し(ステップＳ３０２)、録画中のデータに付加情報として記録(ステップＳ３０３)して、処理を終了する（ステップＳ３０４）。この視聴中止通知を受信したときの時刻情報は後の再生時に使用される。
【００４３】
図７は、録画タイトルメニューの一例を示すものである。この図７を参照して、再生時の動作について簡単に説明する。録画完了後、利用者は、外出先で視聴したテレビ番組を、帰宅してからもう一度自宅で視聴したい場合に、録画再生装置４に対して録画した番組タイトル一覧を表示させ、所望の番組を選択することで、テレビモニタ装置５に表示されたテレビ番組を視聴することができる。例えば外出先から帰宅し、利用者はリモコン４６を介して録画再生装置４の再生操作を行い、テレビモニタ装置５に設定画面を表示させ、その中から「録画タイトルの再生」ボタン（図示略）を選択して、図７に示すような、録画タイトルメニューを表示させる。
【００４４】
図７に示す録画タイトルメニューには、例として４つの録画されたテレビ番組の「タイトル」と、それぞれの「録画日時」、「録画番組の再生開始可能な位置」が表示される。勿論、表示項目はこの例に限られるものでない。利用者はリモコンを操作して録画タイトルメニュー上のカーソルを移動させ所望のタイトル、例えばアニメ（斜線部）を選択する。次に、「番組の初めから」、「視聴開始時から」、「視聴中止直後から」のいずれから再生するか選択を要求されるので、所望の再生開始位置を選択する。この例では、「視聴中止直後から」（斜線部）が選択されているので、図６のステップＳ３０３にて録画再生部４５に送出する録画データに記録された携帯電話端末１からの視聴中止通知を受信した時刻から再生される。このとき再生される番組は、外出先で視聴した番組と同一内容であるが、高画質放送(ハイビジョン放送等)で録画されている場合もある。
【００４５】
また、「番組の初めから」視聴することを選択すれば、放送開始時刻の最初から録画された番組の頭から視聴することができる。なお、録画指示された番組について近い将来に同一番組の放送予定がなかった場合には、録画タイトル「プロ野球」のように、「番組の初めから」視聴することを選択することはできない。
【００４６】
また、利用者は希望により外出時に視聴を開始した時点から再生を開始するようにすることもできる。これは、図４に示されるステップＳ１０４の処理において、視聴開始により携帯電話端末１から送出された録画指示を録画再生装置４が受信したときの時刻情報を時計部４７より取得して記録し、録画中のデータに付加情報として記録することで実現できる。
【００４７】
このように、外出先において、携帯電話端末１を用い視聴していた番組を、番組途中で視聴を中止してしまったものであれば、録画データに付加された視聴中止時刻情報から、そこまでの頭出し動作を行なうことにより、視聴を中止した直後から続けて視聴を再開することが可能となる。また、録画指示された番組の放送時間帯と別の時間帯に、放送開始時刻から録画予約されたものであれば、外出先で、番組の途中から視聴した番組であっても番組放送開始から視聴することが可能となる。さらに、録画データに付加された視聴開始時刻情報を基に視聴開始時への頭出しを行うことにより、外出先で視聴した番組を自宅で即座に再生することができるとともに、例えば後日番組放送開始から録画されたものであっても、即座に視聴を開始した時点から再生することができる。
【００４８】
なお、録画再生装置４において、携帯電話端末１が番組視聴を途中で中止した直後から録画開始するように録画処理動作の設定を変更することもできる。すなわち、図４に示されるフローチャートのステップＳ１０４では録画指示は行わず、ステップＳ１０７にて携帯電話端末１から録画再生装置４に対し、番組の視聴中止を通知することにより、録画再生装置４において図５に示されるフローチャートのステップＳ２０２の録画指示を受信するものとする。
【００４９】
このようにした場合、録画再生装置４に対し、利用者が途中から視聴を中止した番組について視聴を中止した時刻からの録画指示が行える。この例において、ステップＳ２０３以降の処理を上述例と同様とした場合、ステップＳ２０７における近い将来に同一番組の放送予定があれば、指示された番組を最初から録画することもできる。
【００５０】
また、上述した実施の形態の例において、携帯電話端末１にて受信する番組をテレビジョン放送あるいはケーブルテレビ網から得る例について説明したが、ＢＳ放送やＣＳ放送、無線ＬＡＮなどを通じてインターネット等から得られるデジタルコンテンツなどの番組であってもよい。
【００５１】
また、本発明は上述した実施の形態の例に限られるものではなく、本発明の要旨を逸脱することなくその他種々の構成を取り得ることは勿論である。
【図面の簡単な説明】
【００５２】
【図１】本発明の一実施の形態のシステム構成例の概要を示すブロック図である。
【図２】本発明の一実施の形態の携帯電話端末の一例を示す概略構成図である。
【図３】本発明の一実施の形態の録画再生装置の一例を示す概略構成図である。
【図４】本発明の一実施の形態の携帯電話端末装置の動作を示すフローチャートである。
【図５】本発明の一実施の形態の録画再生装置の動作を示すフローチャートである。
【図６】本発明の一実施の形態の視聴中止通知を受けた場合の処理を示すフローチャートである。
【図７】本発明の一実施の形態の録画タイトルメニューの一例を示す図である。
【符号の説明】
【００５３】
１…携帯電話端末、２…携帯電話基地局、３…インターネット、４…録画再生装置、５…テレビモニタ装置、１１…携帯電話送受信部、１２，４２…テレビ受信部、１３，４３…制御部、１４…表示部、１５…スピーカ／マイク、１６…ＭＭＩ、１７，４７…時計部、４１…ネットワーク送受信部、４４…テレビ画像音声出力部、４５…録画再生部、４６…リモコン受信部
【図１】
2005260856.tif 000003
【図２】
2005260856.tif 000004
【図３】
2005260856.tif 000005
【図４】
2005260856.tif 000006
【図５】
2005260856.tif 000007
【図６】
2005260856.tif 000008
【図７】
2005260856.tif 000009